(57)【要約】【課題】便器に備えられて人体局部を洗浄する人体局部洗浄装置のリモコン装置において、リモコン送信機側においても本体部の状態についての情報を信号で受けてこれを表示できるようにする。またその際にリモコン送信機における電池の消耗を可及的に低く抑えるようにする。【解決手段】送信部４０Ａから所定の信号を送信するワイヤレスのリモコン送信機３４と、受信部３２Ｂにおいて送信部４０Ａからの送信信号を受信し、その信号に応じた動作を所定の機能部に実行させる本体部２４とを有する局部洗浄装置２０のリモコン装置において、リモコン送信機３４に受信部４０Ｂを設ける一方、本体部２４に送信部３２Ａを設け且つ送信部３２Ａからの受信停止信号により受信部４０Ｂを動作停止させるようになす。【選択図】        図１
2004251017.tif 000002
【特許請求の範囲】
【請求項１】
送信部を備えて該送信部から所定の信号を送信するワイヤレスのリモコン送信機と、受信部を備えて該受信部で該送信部から送信された信号を受信し、その信号に応じた動作を所定の機能部に実行させる本体部とを有するリモコン装置において、
前記リモコン送信機に受信部を設ける一方、前記本体部に送信部を設けて、該本体部の送信部から該リモコン送信機の受信部に送信を行うようになし、且つ該リモコン送信機の受信部は該本体部の送信部からの受信停止信号により動作停止するようになしてあることを特徴とするリモコン装置。
【請求項２】
請求項１において、前記リモコン送信機の受信部は該リモコン送信機に備えられた操作部が操作されることによって動作開始するようになしてあることを特徴とするリモコン装置。
【請求項３】
請求項１，２の何れかにおいて、前記リモコン装置が、便器に備えられて噴射ノズルより人体局部に洗浄水を噴射する局部洗浄装置のリモコン装置であることを特徴とするリモコン装置。
【請求項４】
請求項１〜３の何れかにおいて、前記本体部の送信部が前記リモコン送信機からの送信信号に対応した一連の応答信号を送信した後前記受信停止信号を送信するようになしてあることを特徴とするリモコン装置。
【請求項５】
請求項３において、前記本体部には人体検知センサが備えてあり、使用者が便座から立ち上がり若しくは立ち去ったことを検知したとき、前記本体部の送信部から受信停止信号を送信するようになしてあることを特徴とするリモコン装置。
【発明の詳細な説明】
【０００１】
【発明の属する技術分野】
この発明は便器に備えられ、噴射ノズルから人体局部に洗浄水を噴射する局部洗浄装置等に適用して好適なリモコン装置に関する。
【０００２】
【従来の技術及び発明が解決しようとする課題】
便器に備えられ、噴射ノズルから人体局部に向けて洗浄水を噴射し洗浄する局部洗浄装置が従来から広く使用されている。
この局部洗浄装置には、通常、送信部を備えてその送信部から操作信号等所定の信号を送信するワイヤレスのリモコン送信機と、受信部を備えてその受信部においてリモコン送信機の送信部から送信された信号を受信し、噴射ノズルから洗浄水を噴射させるなど、送信信号に応じた動作を所定の機能部に実行させる本体部とを有するリモコン装置が備えられている。
【０００３】
通常そのリモコン送信機は、便器と離隔した位置において便器側方の壁等に取り付けられて使用される。
このリモコン送信機は電池を電源として動作するようになっており、電池の交換頻度を少なくするため極力電池消耗を少なくすることが求められる。
【０００４】
そのためかかるリモコン送信機には、従来、受信部が備えられていない。
送信部は信号の送信が必要なときだけ動作させれば良いが、受信部は信号を受ける側であって常時動作状態としておくのが普通であり、この場合受信部が多量の電気エネルギーを消費してしまうからである。
【０００５】
しかしながらリモコン送信機の側に受信部が無いと、本体部からの信号を受けて本体部の現在の状態を、リモコン送信機の表示部に表すといった機能をリモコン送信機に持たせることができず、便器使用者が本体部の状態をリモコン送信機を通じて知ることができないといった不都合がある。
リモコン送信機は、便器の使用者にとって操作し易く且つ見やすい位置に設置されることから、そのリモコン送信機の表示部に本体部の状態を表示できれば望ましいが、従来ではそれができなかったのである。
【０００６】
これに対して下記特許文献１には、リモコン送信機の側に受信手段を設ける一方、便座本体側に本体送信手段を設け、本体側からリモコン送信機側に信号を送信するようになした点が開示されている。
また下記特許文献２には、給湯器の本体部に設けた送受信部からリモコン送信機の送受信部に信号を送信し、その後リモコン送信機側の送受信部、つまりその受信部を一定時間だけ受信可能状態に保持した後、これを動作停止させるようにした点が開示されている。
【０００７】
しかしながらリモコン送信機側の受信部を画一的に一定時間オン状態（動作状態）に保つとなると、本体部から信号が返って来ない（送信されて来ない）ようなときにも、本体部の送信部からの信号の有無と無関係に受信部を動作状態に保持することとなり、無駄な待受時間が長くなって電気エネルギーを多く消費することとなり、ひいては電池交換の頻度を高めてしまう問題を生ずる。
【０００８】
以上便器の人体局部洗浄装置のリモコン装置を例として述べたが、この問題はワイヤレスで信号を送受する他のリモコン装置にも共通して生じる問題である。
【０００９】
【特許文献１】
特開平９−２６８６３１号公報
【特許文献２】
特許第３２３２８３１号公報
【００１０】
【課題を解決するための手段】
本発明のリモコン装置はこのような課題を解決するために案出されたものである。
而して請求項１のものは、送信部を備えて該送信部から所定の信号を送信するワイヤレスのリモコン送信機と、受信部を備えて該受信部で該送信部から送信された信号を受信し、その信号に応じた動作を所定の機能部に実行させる本体部とを有するリモコン装置において、前記リモコン送信機に受信部を設ける一方、前記本体部に送信部を設けて、該本体部の送信部から該リモコン送信機の受信部に送信を行うようになし、且つ該リモコン送信機の受信部は該本体部の送信部からの受信停止信号により動作停止するようになしてあることを特徴とする。
【００１１】
請求項２のものは、請求項１において、前記リモコン送信機の受信部は該リモコン送信機に備えられた操作部が操作されることによって動作開始するようになしてあることを特徴とする。
【００１２】
請求項３のものは、請求項１，２の何れかにおいて、前記リモコン装置が、便器に備えられて噴射ノズルより人体局部に洗浄水を噴射する局部洗浄装置のリモコン装置であることを特徴とする。
【００１３】
請求項４のものは、請求項１〜３の何れかにおいて、前記本体部の送信部が前記リモコン送信機からの送信信号に対応した一連の応答信号を送信した後前記受信停止信号を送信するようになしてあることを特徴とする。
【００１４】
請求項５のものは、請求項３において、前記本体部には人体検知センサが備えてあり、使用者が便座から立ち上がり若しくは立ち去ったことを検知したとき、前記本体部の送信部から受信停止信号を送信するようになしてあることを特徴とする。
【００１５】
【作用及び発明の効果】
以上のように本発明は、リモコン送信機に備えた受信部を、本体部の送信部からの受信停止信号により動作停止するようになしたものである。
本体部の送信部はリモコン送信機の受信部に対して信号を送信する側であり、従ってリモコン送信機の受信部がオン状態（動作状態）にある必要があるかどうかを最も良く知る立場にある。
【００１６】
そこで本発明では、本体部における送信部からの受信停止信号により、リモコン送信機の受信部を動作停止させるようになしたもので、本発明によれば、リモコン送信機の受信部が送られて来る信号の可能性が殆ど無いにも拘わらずオン状態（動作状態）をキープ（継続）している無駄を無くすことができる。
これによりリモコン送信機の受信部による電気エネルギー消費を可及的に少なく抑え得て、リモコン送信機の受信部を効率的に働かせることができる。
従って本発明によれば、リモコン送信機が電池を電源として作動するものにおいて、電池の消耗を可及的に少なく抑え得て電池寿命を永く延ばすことができる。
【００１７】
ここでリモコン送信機の受信部は、リモコン送信機に備えられた操作部が操作されることによって動作開始するようになしておくことができる（請求項２）。
本発明は、種々のリモコン装置に対して適用可能なものであるが、特に噴射ノズルより人体局部に洗浄水を噴射する局部洗浄装置のリモコン装置として好適なものである（請求項３）。
【００１８】
本発明は、本体部の送信部がリモコン送信機からの送信信号に対応した一連の応答信号を送信した後、受信停止信号を送信するようになしておくことができる（請求項４）。
例えば洗浄水の噴射のための操作信号をリモコン送信機が送信したとき、これに対応した本体部の状態についての情報信号、例えば温水タンクの温水が何℃であるとか洗浄水の噴射の強さがどの程度であるとかといった一連の応答信号を送信した後受信停止信号を送信するようになすことができる。
このようにしておけば、リモコン送信機の受信部の動作継続時間が短い場合であっても、最も欲しく且つ必要な情報をリモコン送信機側で得ることができ、これを表示部に表示して使用者に知らせることが可能となる。
【００１９】
尚、本体部に人体検知センサが備えてあるものでは、使用者が便座から立ち上がり若しくは立ち去ったことを人体検知センサが検知したとき、本体部の送信部から受信停止信号を送信するようになすことができる（請求項５）。
このようになした場合においても、リモコン送信機の受信部を少ないエネルギーで効率的に働かせることができる。
【００２０】
【実施例】
次に本発明の実施例を図面に基づいて詳しく説明する。
図１において１０は便器（洋風便器）で、１２は便器本体、１４は便座、１６は便蓋、１８は洗浄水タンク（ロータンク）である。
２０は、便器１０に備えられて噴射ノズル２２から洗浄水を人体局部に向けて噴射し洗浄する局部洗浄装置で、２４はその本体部である。
【００２１】
本体部２４はボックス２６を有しており、そしてそのボックス２６の、便器本体１２から図中左側方に突き出した左袖部の上面に操作パネル２８が設けられていて、そこに操作スイッチとしての押ボタンスイッチ３０が複数設けられている。
ボックス２６にはまた、押ボタンスイッチ３０の近傍位置且つ便器本体１２側の内側面に近い位置において人体検知センサ３１が設けられている。
【００２２】
この人体検知センサ３１は、便器の使用者が便座１４から立ち上がったとき或いは便器１０から立ち去ったときにこれを検知する。
但し人体検知センサ３１にて使用者が便器１０から立ち去ったことを検知するようにし、そしてこれとは別に便座１４への着座の有無を検知する着座センサを人体検知センサ３１として設けておいて、その着座センサからなる人体検知センサ３１により着座の有無だけを検知するようになすこともできる。
【００２３】
操作パネル２８の設けられたのとは反対側の右袖部には、後述するリモコン送信機３４との間で信号を送受する送受信部３２が設けられている。
ここで送受信部３２は送信部３２Ａと受信部３２Ｂとを有している。
即ち従来にあっては受信部３２Ｂだけであったのが、ここでは受信部３２Ｂと併せて送信部３２Ａも本体部２４に設けられている。
【００２４】
３４は便器本体１２とは離隔して壁Ｗに取り付けられた、局部洗浄装置２０のワイヤレスのリモコン送信機で、操作パネル３６上に複数の操作スイッチとしての押ボタンスイッチ３８が設けられている。
ここで押ボタンスイッチ３８は、例えば噴射ノズル２２からの洗浄水のシャワー噴射のためのスイッチ，温風ファンからの乾燥用温風の吹出しのためのドライスイッチ，それらの動作を停止させるためのストップスイッチ等からなっている。
【００２５】
リモコン送信機３４にはまた、送受信部４０と液晶表示部４２とが設けられている。
送受信部４０は、送信部４０Ａと受信部４０Ｂとを有しており、送信部４０Ａから押ボタンスイッチ３８の操作に対応した信号を光信号として送信する。
この送信部４０Ａから送信された信号は、本体部２４側の受信部３２Ｂで受信される。
また一方受信部４０Ｂは、本体部２４側の送信部３２Ａから送信された光信号を受信する。
【００２６】
図２に示しているように、リモコン送信機３４にはその動作を制御するためのマイコンからなる制御部４４が設けてあり、その制御部４４によって、送信部４０Ａ及び受信部４０Ｂの動作が制御される。
尚４６はリモコン送信機３４に備えられたＬＥＤ表示部であり、４８はその電源となる電池である。
【００２７】
一方本体部２４においてもマイコンからなる制御部５０が設けられており、その制御部５０によって送信部３２Ａ及び受信部３２Ｂが動作制御される。
また同じ制御部５０によって局部洗浄装置２０における各種機能部、即ち温水タンク内の水を加熱して温水化する温水ヒータ５２，便座を加温する便座ヒータ５４，噴射ノズル２２からの洗浄水のシャワー噴射を行わせるシャワーバルブ５６，乾燥空気を送り出す温風ファン５８，便座を開閉させる便座開閉モータ６０等が動作制御される。
尚、本体部２４及び各種電気的機能部は商用電源を電源として駆動される。
【００２８】
本例のリモコン装置にあっては、リモコン送信機３４の押ボタンスイッチ３８が操作されることで、受信部４０Ｂが動作開始され、そして本体部２４側の送信部３２Ａから受信停止信号が送信されることによって、リモコン送信機３４の受信部４０Ｂが動作停止する。
【００２９】
図３はその際の具体的な制御の例を示したものである。
この図３に示す例は、局部洗浄装置２０の本体部２４における送信部３２Ａから本体部２４側の一連の状態信号を送信した後、受信停止信号を送信し、これに基づいてリモコン送信機３４における受信部４０Ｂが動作停止する場合の例である。
図示のようにここでは噴射ノズル２２からの洗浄水のシャワー噴射を行わせる押ボタンスイッチ３８の押操作（Ｓ１０）によりシャワー信号が送信部４０Ａから光信号として送信される（Ｓ１２）とともに、液晶表示部４２にシャワー表示が行われ（Ｓ１４）、そしてこれとともにリモコン送信機３４の受信部４０Ｂが動作開始される（Ｓ１６）。
【００３０】
一方本体部２４側においては、受信部３２Ｂが送られた信号を受信し、これに基づいて信号を正しく受信した旨のシャワー了解信号、現在節電モードであるとか、便座を加温中であるとか、或いはその他の現状のステータス信号を、そして最後に受信停止信号をそれぞれ送信する（Ｓ１８）。
リモコン送信機３４は受信部４０Ｂでこれを受けてＳ２０，Ｓ２２，Ｓ２４を次々と実行する。
詳しくは現在節電モード，便座加温中等を液晶表示部４２に表示し、またその他の本体部２４側の現在の状態についての情報を液晶表示部４２に表示する。そしてそれらの表示を実行した後、最後に受信部４０Ｂを動作停止させる。
【００３１】
図４は他の例を示したものである。
ここでは温風吹出用のドライの押ボタンスイッチ３８の押操作（Ｓ２５）により、対応したドライ信号がリモコン送信機３４における送信部４０Ａから送信される（Ｓ２６）。
続いて液晶表示部４２にドライ表示され（Ｓ２７）、続いて受信部４０Ｂの起動、即ち動作開始が行われる（Ｓ２８）。
【００３２】
一方送信部４０Ａからのドライ信号を受信部３２Ｂで受信した本体部２４は、これに応じた情報を送信部３２Ａから受信部４０Ｂに向けて送信する。例えば局部洗浄装置２０が温風ファンによるドライ機能を有していない場合には、ドライ機能無しとの情報を信号として送信し、それに続いて受信停止信号を送信する（Ｓ２９）。
リモコン送信機３４は受信部４０Ｂでこれを受けて、これに対応した動作を実行する。具体的にはここでは局部洗浄装置２０にはドライ機能無しとの表示を液晶表示部４２で表示させ（Ｓ３０）、その後に受信部４０Ｂを動作停止させる（Ｓ３２）。
【００３３】
かかる本例のリモコン装置によれば、本体部２４の送信部３２Ａからの受信停止信号によりリモコン送信機３４の受信部４０Ｂを動作停止させるようになしてあるので、受信部４０Ｂによる電気エネルギー消費を可及的に少なく抑え得て、受信部４０Ｂを効率的に働かせることができ、電池の消耗を可及的に少なく抑え得て電池寿命を永く延ばすことができる。
【００３４】
図５は本発明の更に他の実施例を示したものである。
この例は、リモコン送信機３４より送信された信号が本体部２４側の受信部３２Ｂで正常に受信できなかった場合に、そのことをリモコン送信機３４側に本体部２４側から送信し、そしてその対応方法をリモコン送信機３４の液晶表示部４２に表示させた後、リモコン送信機３４における受信部４０Ｂを動作停止させるようにした例である。
具体的には、この例ではビデ洗浄用の押ボタンスイッチ３８の押操作（Ｓ４０）により、対応したビデ信号がリモコン送信機３４の送信部４０Ａから送信され（Ｓ４２）、続いてリモコン送信機３４の液晶表示部４２にビデ表示された上で（Ｓ４４）、受信部４０Ｂの起動、即ち動作開始が行われる（Ｓ４６）。
【００３５】
このリモコン送信機３４から送信されたビデ信号を本体部２４側の受信部３２Ｂで正常に受信できなかった場合、本体部２４は再送要求の信号を送信部３２Ａからリモコン送信機３４に向けて送信する（Ｓ４８，Ｓ５０）。
リモコン送信機３４は、受信部４０Ｂでこれを受けてビデ信号を再度送信する（Ｓ５２）。
リモコン送信機３４から送信されたビデ再送信号が依然として本体部２４側の受信部３２Ｂで正常に受信できなかった場合、本体部２４はリモコン送信機３４に向けて受信不良の情報を送信し、それに続いて受信停止信号を送信する（Ｓ５４，Ｓ５６）。
【００３６】
リモコン送信機３４はこれを受けて、リモコン送信機３４内に設置されている電池４８の電圧を検査し、設定基準電圧よりも小さい場合には、使用者に電池交換を促す表示を液晶表示部４２で表示させ（Ｓ５８，Ｓ６０）、その後受信部４０Ｂを動作停止させる（Ｓ６２）。
【００３７】
一方電池４８の電圧が設定基準電圧以上である場合には、リモコン送信機３４の位置を変更するよう促す表示を液晶表示部４２で表示させ（Ｓ６４）、その後受信部４０Ｂを動作停止させる（Ｓ６２）。
【００３８】
図６は本発明の更に他の実施例を示している。
この例は、便器１０側で故障が発生し、正常に動作できなくなった場合に、故障発生の情報や対応方法をリモコン送信機３４側で表示した後、受信部４０Ｂを動作停止するようになした例である。
詳しくは、ここでは便器洗浄用の押ボタンスイッチ（流すスイッチ）３８の押操作（Ｓ６８）により、対応した流す信号がリモコン送信機３４の送信部４０Ａから送信される（Ｓ７０）。
続いてリモコン送信機３４側において液晶表示部４２に流す表示され（Ｓ７２）、続いて受信部４０Ｂの起動、即ち動作開始が行われる（Ｓ７４）。
【００３９】
一方本体部２４側では、受信した流す信号に対し正常な動作が行われなかった場合、送信部３２Ａから重大な故障発生の情報と、それに続いて受信停止の信号を送信する（Ｓ７６，Ｓ７８）。
リモコン送信機３４側の受信部４０Ｂはこれを受けて、故障コード等の故障発生に関する情報と、その対応方法を液晶表示部４２に表示させ（Ｓ８０）、その後受信部４０Ｂが動作停止する（Ｓ８２）。
【００４０】
図７は本発明の更に他の実施例を示している。
図３の例では本体部２４の送信部３２Ａから本体部２４の現在の状態を表す一連の情報信号を送信するのと併せて受信停止信号を送信するようにしているが、ここではその情報信号だけを送信して受信停止信号は送信せず（Ｓ３４）、その後人体検知センサ３１が人体非検知となったところで（或いは使用者が便座１４から立ち上がったところで）、その後に受信停止信号を送信するようになした例である（Ｓ３６、Ｓ３８）。
そしてリモコン送信機３４は、その後受信部４０Ｂを動作停止するようにしている。
本例によってもリモコン送信機３４の受信部４０Ｂを少ないエネルギーで効率的に働かせることができる。
【００４１】
以上本発明の実施例を詳述したがこれはあくまで一例示である。
例えば本発明は車庫その他のシャッターのワイヤレスのリモコン装置や給湯器のリモコン装置その他のリモコン装置に適用することも可能であるなど、その趣旨を逸脱しない範囲において種々変更を加えた形態で構成可能である。
【図面の簡単な説明】
【図１】本発明の一実施例であるリモコン装置を周辺部とともに示す図である。
【図２】同実施例のリモコン装置におけるリモコン送信機と本体部の構成をブロック図として表す図である。
【図３】同実施例のリモコン装置におけるリモコン送信機側の受信部の受信停止の例を示すフローチャートである。
【図４】図３とは異なる態様で受信停止させる例を示すフローチャートである。
【図５】図３とは異なる態様で受信停止させる例を示すフローチャートである。
【図６】図３とは異なる態様で受信停止させる例を示すフローチャートである。
【図７】図３とは異なる態様で受信停止させる例を示すフローチャートである。
【符号の説明】
１０  洋風便器
１４  便座
２０  局部洗浄装置
２２  噴射ノズル
２４  本体部
３１  人体検知センサ
３２Ａ  送信部
３２Ｂ  受信部
３４  リモコン送信機
３８  押ボタンスイッチ（操作部）
４０Ａ  送信部
４０Ｂ  受信部
５２  温水ヒータ（機能部）
５４  便座ヒータ（機能部）
５６  シャワーバルブ（機能部）
５８  温風ファン（機能部）
６０  便座開閉モータ（機能部）
【図１】
2004251017.tif 000003
【図２】
2004251017.tif 000004
【図３】
2004251017.tif 000005
【図４】
2004251017.tif 000006
【図５】
2004251017.tif 000007
【図６】
2004251017.tif 000008
【図７】
2004251017.tif 000009